(57)【要約】【課題】従来に比して視野角特性を向上して、斜め方向より表示画面を視認する場合でも、表示画面のコントラストを充分に確保する。【解決手段】画像表示装置１は、第１及び第２の基板７、１２の間に液晶層８が設けられ、第１の基板７の側には、第１の直線偏光板６が配置され、第２の基板１２の側には、第２の直線偏光板２４が配置される。液晶層８と第２の基板１２の間には、第１の１／４波長位相差層９が設けられ、第２の基板１２と、第２の直線偏光板２４の間には、第２の１／４波長位相差層２１が設けられる。第１及び第２の１／４波長位相差層９及び２１の間には、正のＣプレート１０が設けられる。第２の直線偏光板２４と第２の１／４波長位相差層２１との間には、第１及び第２の補償層２２及び２３が設けられる。【選択図】図１
2020076946.tif 000002
【特許請求の範囲】
【請求項１】
対向するように保持された第１の基板及び第２の基板の間に液晶層が設けられ、
前記第１の基板の前記液晶層とは反対側には、バックライトからの入射光を直線偏光により出射する第１の直線偏光板が配置され、
前記第２の基板の前記液晶層とは反対側には、透過軸が前記第１の直線偏光板と直交するように第２の直線偏光板が配置され、
前記液晶層と前記第２の基板の間には、遅相軸が前記第１の直線偏光板の透過軸に対して４５度の角度を成す第１の１／４波長位相差層が設けられ、
前記第２の基板と、第２の直線偏光板の間には、前記第１の１／４波長位相差層の遅相軸と遅相軸が直交している第２の１／４波長位相差層が設けられ、
前記第１の１／４波長位相差層と前記第２の１／４波長位相差層の間には、正のＣプレートが設けられ、
前記第２の直線偏光板と前記第２の１／４波長位相差層との間には、前記第２の直線偏光板の出射光を入射して透過光を出射する第１の補償層と、
前記第１の補償層の出射光を入射して透過光を出射する第２の補償層とが順次設けられた
画像表示装置。
【請求項２】
前記第１の補償層及び前記第２の補償層は、
共に遅相軸が前記第２の直線偏光板の透過軸に対して平行又は直交であるか、
若しくは、一方の補償層の遅相軸が前記第２の直線偏光板の透過軸に対して平行又は直交し、他方の補償層が正又は負のＣプレートである
請求項１に記載の画像表示装置。
【請求項３】
前記第１の補償層が、遅相軸が前記第１の直線偏光板の透過軸に平行である正のＡプレートであり、
前記第２の補償層が、遅相軸が前記第１の直線偏光板の透過軸に平行である負のＡプレートである
請求項１に記載の画像表示装置。
【請求項４】
前記第１の補償層が、遅相軸が前記第１の直線偏光板の透過軸に平行である正のＡプレートであり、
前記第２の補償層が、正のＣプレートである
請求項１に記載の画像表示装置。
【請求項５】
前記第１の補償層が、遅相軸が前記第１の直線偏光板の透過軸に直交する負のＡプレートであり、
前記第２の補償層が、遅相軸が前記第１の直線偏光板の透過軸に直交する正のＡプレートである
請求項１に記載の画像表示装置。
【請求項６】
前記第１の補償層が、遅相軸が前記第１の直線偏光板の透過軸に直交する負のＡプレートであり、
前記第２の補償層が、負のＣプレートである
請求項１に記載の画像表示装置。
【請求項７】
前記第１の補償層が、正のＣプレートであり、
前記第２の補償層が、遅相軸が前記第１の直線偏光板の透過軸に直交する正のＡプレートである
請求項１に記載の画像表示装置。
【請求項８】
前記第１の補償層が、負のＣプレートであり、
前記第２の補償層が、遅相軸が前記第１の直線偏光板の透過軸に平行な負のＡプレートである
請求項１に記載の画像表示装置。
【請求項９】
前記液晶層が横電界モードによる液晶層であり、
前記第１の基板に前記横電界モードによる透明電極が形成された
請求項１から請求項７までのいずれかに記載の画像表示装置。
【請求項１０】
前記第２の基板に、カラーフィルタが設けられた
請求項１から請求項８までのいずれかに記載の画像表示装置。
【請求項１１】
さらにタッチパネル用センサフィルムを備える。
請求項１から請求項９までのいずれかに記載の画像表示装置。
【請求項１２】
基板の一方の面側には第１の１／４波長位相差層が設けられ、
前記基板の他方の面側には遅相軸が前記第１の１／４波長位相差層の遅相軸と直交する第２の１／４波長位相差層が設けられ、
前記第１の１／４波長位相差層と前記第２の１／４波長位相差層との間には、正のＣプレートが設けられ、
前記第２の１／４波長位相差層の前記基板とは逆側には、第２の補償層、第１の補償層が前記第２の１／４波長位相差層側から順次設けられ、
前記第１の補償層と前記第２の補償層とは、
遅相軸が同じ向きであり、前記第１の１／４波長位相差層の遅相軸に対して４５度の角度を成すか、
若しくは、一方の補償層の遅相軸が前記第１の１／４波長位相差層の遅相軸と４５度の角度を成し、他方の補償層が正又は負のＣプレートである画像表示部材。
【請求項１３】
前記第１の補償層が、遅相軸が前記第１の１／４波長位相差層の遅相軸と成す角度が４５度である正のＡプレートであり、
前記第２の補償層が、遅相軸が前記第１の１／４波長位相差層の遅相軸と成す角度が４５度である負のＡプレートである
請求項１２に記載の画像表示部材。
【請求項１４】
前記第１の補償層が、遅相軸が前記第１の１／４波長位相差層の遅相軸と成す角度が４５度である正のＡプレートであり、
前記第２の補償層が、正のＣプレートである
請求項１２に記載の画像表示部材。
【請求項１５】
前記第１の補償層が、遅相軸が前記第１の１／４波長位相差層の遅相軸と成す角度が４５度である負のＡプレートであり、
前記第２の補償層が、遅相軸が前記第１の１／４波長位相差層の遅相軸と成す角度が４５度である正のＡプレートである
請求項１２に記載の画像表示部材。
【請求項１６】
前記第１の補償層が、遅相軸が前記第１の１／４波長位相差層の遅相軸と成す角度が４５度である負のＡプレートであり、
前記第２の補償層が、負のＣプレートである
請求項１２に記載の画像表示部材。
【請求項１７】
前記第１の補償層が、正のＣプレートであり、
前記第２の補償層が、遅相軸が前記第１の１／４波長位相差層の遅相軸と成す角度が４５度である正のＡプレートである
請求項１２に記載の画像表示部材。
【請求項１８】
前記第１の補償層が、負のＣプレートであり、
前記第２の補償層が、遅相軸が前記第１の１／４波長位相差層の遅相軸と成す角度が４５度である負のＡプレートである
請求項１２に記載の画像表示部材。
【請求項１９】
直線偏光板と１／４波長位相差層との間に、前記直線偏光板側から順に第１の補償層と第２の補償層とが設けられ、
前記直線偏光板の透過軸と前記１／４波長位相差層の遅相軸が４５度の角度を成し、
前記第１の補償層及び前記第２の補償層は、
遅相軸が同じ向きであり、前記１／４波長位相差層の遅相軸に対して４５度の角度を成すか、
若しくは、一方の補償層の遅相軸が前記１／４波長位相差層の遅相軸と４５度の角度を成し、他方の補償層が正又は負のＣプレートである光学部材。
【請求項２０】
前記第１の補償層が、遅相軸が前記直線偏光板の透過軸に直交である正のＡプレートであり、
前記第２の補償層が、遅相軸が前記直線偏光板の透過軸に直交である負のＡプレートである
請求項１９に記載の光学部材。
【請求項２１】
前記第１の補償層が、遅相軸が前記直線偏光板の透過軸に直交である正のＡプレートであり、
前記第２の補償層が、正のＣプレートである
請求項１９に記載の光学部材。
【請求項２２】
前記第１の補償層が、遅相軸が前記直線偏光板の透過軸に平行である負のＡプレートであり、
前記第２の補償層が、遅相軸が前記直線偏光板の透過軸に平行である正のＡプレートである
請求項１９に記載の光学部材。
【請求項２３】
前記第１の補償層が、遅相軸が前記直線偏光板の透過軸に平行である負のＡプレートであり、
前記第２の補償層が、負のＣプレートである
請求項１９に記載の光学部材。
【請求項２４】
前記第１の補償層が、正のＣプレートであり、
前記第２の補償層が、遅相軸が前記直線偏光板の透過軸に平行である正のＡプレートである
請求項１９に記載の光学部材。
【請求項２５】
前記第１の補償層が、負のＣプレートであり、
前記第２の補償層が、遅相軸が前記直線偏光板の透過軸に直交する負のＡプレートである
請求項１９に記載の光学部材。
【発明の詳細な説明】
【技術分野】
【０００１】
本発明は、液晶表示パネルのパネル面に反射防止フィルムを配置した画像表示装置、この画像表示装置に係る画像表示部材及び光学部材に関する。
【背景技術】
【０００２】
従来、画像表示パネルのパネル面（視聴者側面）に、直線偏光板及び１／４波長位相差層の積層による反射防止フィルムを配置し、この反射防止フィルムにより外来光の反射を低減する方法が提案されている。この反射防止フィルムは、画像表示パネルのパネル面に向かう外来光を直線偏光板により直線偏光に変換し、続く１／４波長位相差層により円偏光に変換する。この円偏光による外来光は、画像表示パネルの表面等で反射するものの、この反射の際に偏光面の回転方向が逆転する。その結果、この反射光は、到来時とは逆に、１／４波長位相差層により、直線偏光板により遮光される方向の直線偏光に変換された後、続く直線偏光板により遮光され、その結果、外部への出射が著しく抑制される。
このような反射防止フィルムに関して、従来、種々の工夫が提案されている（例えば特許文献１）。
【先行技術文献】
【特許文献】
【０００３】
【特許文献１】国際公開第２０１７／１７９４９３号
【発明の概要】
【発明が解決しようとする課題】
【０００４】
ところでこの種の反射防止フィルムを配置した液晶表示パネルによる画像表示装置は、斜め方向より表示画面を視認する場合、正面方向より視認する場合に比して、黒表示時におけるコントラスト（いわゆる黒コントラストである）が低下する問題があり、これにより一段と視野角特性を向上することが望まれていた。
【０００５】
本発明はこのような状況に鑑みてなされたものであり、従来に比して視野角特性を向上して、斜め方向より表示画面を視認する場合でも、表示画面のコントラストを充分に確保すること、を目的とする。
【課題を解決するための手段】
【０００６】
本発明者は、上記課題を解決するために鋭意研究を重ね、２つの補償層を設けて斜め出射光に対する光学特性を補償する、との着想に至り、本発明を完成するに至った。
【０００７】
具体的には、本発明では、以下のようなものを提供する。
【０００８】
（１）  対向するように保持された第１の基板及び第２の基板の間に液晶層が設けられ、
前記第１の基板の前記液晶層とは反対側には、バックライトからの入射光を直線偏光により出射する第１の直線偏光板が配置され、
前記第２の基板の前記液晶層とは反対側には、透過軸が前記第１の直線偏光板と直交するように第２の直線偏光板が配置され、
前記液晶層と前記第２の基板の間には、遅相軸が前記第１の直線偏光板の透過軸に対して４５度の角度を成す第１の１／４波長位相差層が設けられ、
前記第２の基板と、第２の直線偏光板の間には、前記第１の１／４波長位相差層の遅相軸と遅相軸が直交している第２の１／４波長位相差層が設けられ、
前記第１の１／４波長位相差層と前記第２の１／４波長位相差層の間には、正のＣプレートが設けられ、
前記第２の直線偏光板と前記第２の１／４波長位相差層との間には、前記第２の直線偏光板の出射光を入射して透過光を出射する第１の補償層と、
前記第１の補償層の出射光を入射して透過光を出射する第２の補償層とが順次設けられた
画像表示装置。
【０００９】
（１）によれば、第１及び第２の補償層により透過光の位相差を高い自由度により種々に設定することができ、これにより視野角特性を向上して、斜め方向より表示画面を視認する場合でも、表示画面のコントラストを充分に確保することができる。
【００１０】
（２）  （１）において、
前記第１の補償層及び前記第２の補償層は、
共に遅相軸が前記第２の直線偏光板の透過軸に対して平行又は直交であるか、
若しくは、一方の補償層の遅相軸が前記第２の直線偏光板の透過軸に対して平行又は直交し、他方の補償層が正又は負のＣプレートである。
【００１１】
（２）によれば、より具体的構成により表示画面のコントラストを充分に確保することができる。
【００１２】
（３）  （１）において、
前記第１の補償層が、遅相軸が前記第１の直線偏光板の透過軸に平行である正のＡプレートであり、
前記第２の補償層が、遅相軸が前記第１の直線偏光板の透過軸に平行である負のＡプレートである。
【００１３】
（４）  （１）において、
前記第１の補償層が、遅相軸が前記第１の直線偏光板の透過軸に平行である正のＡプレートであり、
前記第２の補償層が、正のＣプレートである。
【００１４】
（３）又は（４）によれば、具体的構成により、従来に比して視野角特性を向上して、斜め方向より表示画面を視認する場合でも、表示画面のコントラストを充分に確保することができる。
【００１５】
（５）  （１）において、
前記第１の補償層が、遅相軸が前記第１の直線偏光板の透過軸に直交する負のＡプレートであり、
前記第２の補償層が、遅相軸が前記第１の直線偏光板の透過軸に直交する正のＡプレートである。
【００１６】
（６）  （１）において、
前記第１の補償層が、遅相軸が前記第１の直線偏光板の透過軸に直交する負のＡプレートであり、
前記第２の補償層が、負のＣプレートである。
【００１７】
（５）又は（６）によれば、具体的構成により、従来に比して視野角特性を向上して、斜め方向より表示画面を視認する場合でも、表示画面のコントラストを充分に確保することができる。
【００１８】
（７）  （１）において、
前記第１の補償層が、正のＣプレートであり、
前記第２の補償層が、遅相軸が前記第１の直線偏光板の透過軸に直交する正のＡプレートである。
【００１９】
（７）によれば、具体的構成により、従来に比して視野角特性を向上して、斜め方向より表示画面を視認する場合でも、表示画面のコントラストを充分に確保することができる。
【００２０】
（８）  （１）において、
前記第１の補償層が、負のＣプレートであり、
前記第２の補償層が、遅相軸が前記第１の直線偏光板の透過軸に平行な負のＡプレートである。
【００２１】
（８）によれば、具体的構成により、従来に比して視野角特性を向上して、斜め方向より表示画面を視認する場合でも、表示画面のコントラストを充分に確保することができる。
【００２２】
（９）  （１）から（８）までのいずれかの構成において、
前記液晶層が横電界モードによる液晶層であり、
前記第１の基板に前記横電界モードによる透明電極が形成された。
【００２３】
（１０）  （１）から（９）までのいずれかの構成において、
前記第２の基板に、カラーフィルタが設けられた。
【００２４】
（１１）  （１）から（１０）までのいずれかの構成において、
さらにタッチパネル用センサフィルムを備える。
【００２５】
（１２）  基板の一方の面側には第１の１／４波長位相差層が設けられ、
前記基板の他方の面側には遅相軸が前記第１の１／４波長位相差層の遅相軸と直交する第２の１／４波長位相差層が設けられ、
前記第１の１／４波長位相差層と前記第２の１／４波長位相差層との間には、正のＣプレートが設けられ、
前記第２の１／４波長位相差層の前記基板とは逆側には、第２の補償層、第１の補償層が前記第２の１／４波長位相差層側から順次設けられ、
前記第１の補償層と前記第２の補償層とは、
遅相軸が同じ向きであり、前記第１の１／４波長位相差層の遅相軸に対して４５度の角度を成すか、
若しくは、一方の補償層の遅相軸が前記第１の１／４波長位相差層の遅相軸と４５度の角度を成し、他方の補償層が正又は負のＣプレートである画像表示部材。
【００２６】
（１２）によれば、第１及び第２の補償層により透過光の位相差を高い自由度により種々に設定することができ、これにより視野角特性を向上して、斜め方向より表示画面を視認する場合でも、表示画面のコントラストを充分に確保することができる。
【００２７】
（１３）  （１２）において、
前記第１の補償層が、遅相軸が前記第１の１／４波長位相差層の遅相軸と成す角度が４５度である正のＡプレートであり、
前記第２の補償層が、遅相軸が前記第１の１／４波長位相差層の遅相軸と成す角度が４５度である負のＡプレートである。
【００２８】
（１４）  （１２）において、
前記第１の補償層が、遅相軸が前記第１の１／４波長位相差層の遅相軸と成す角度が４５度である正のＡプレートであり、
前記第２の補償層が、正のＣプレートである。
【００２９】
（１３）又は（１４）によれば、具体的構成により、従来に比して視野角特性を向上して、斜め方向より表示画面を視認する場合でも、表示画面のコントラストを充分に確保することができる。
【００３０】
（１５）  （１２）において、
前記第１の補償層が、遅相軸が前記第１の１／４波長位相差層の遅相軸と成す角度が４５度である負のＡプレートであり、
前記第２の補償層が、遅相軸が前記第１の１／４波長位相差層の遅相軸と成す角度が４５度である正のＡプレートである。
【００３１】
（１６）  （１２）において、
前記第１の補償層が、遅相軸が前記第１の１／４波長位相差層の遅相軸と成す角度が４５度である負のＡプレートであり、
前記第２の補償層が、負のＣプレートである。
【００３２】
（１５）又は（１６）によれば、具体的構成により、従来に比して視野角特性を向上して、斜め方向より表示画面を視認する場合でも、表示画面のコントラストを充分に確保することができる。
【００３３】
（１７）  （１２）において、
前記第１の補償層が、正のＣプレートであり、
前記第２の補償層が、遅相軸が前記第１の１／４波長位相差層の遅相軸と成す角度が４５度である正のＡプレートである。
【００３４】
（１８）  （１２）において、
前記第１の補償層が、負のＣプレートであり、
前記第２の補償層が、遅相軸が前記第１の１／４波長位相差層の遅相軸と成す角度が４５度である負のＡプレートである。
【００３５】
（１７）又は（１８）によれば、具体的構成により、従来に比して視野角特性を向上して、斜め方向より表示画面を視認する場合でも、表示画面のコントラストを充分に確保することができる。
【００３６】
（１９）  直線偏光板と１／４波長位相差層との間に、前記直線偏光板側から順に第１の補償層と第２の補償層とが設けられ、
前記直線偏光板の透過軸と前記１／４波長位相差層の遅相軸が４５度の角度を成し、
前記第１の補償層及び前記第２の補償層は、
遅相軸が同じ向きであり、前記１／４波長位相差層の遅相軸に対して４５度の角度を成すか、
若しくは、一方の補償層の遅相軸が前記１／４波長位相差層の遅相軸と４５度の角度を成し、他方の補償層が正又は負のＣプレートである光学部材。
【００３７】
（１９）によれば、第１及び第２の補償層により透過光の位相差を高い自由度により種々に設定することができ、これにより視野角特性を向上して、斜め方向より表示画面を視認する場合でも、表示画面のコントラストを充分に確保することができる。
【００３８】
（２０）  （１９）において、
前記第１の補償層が、遅相軸が前記直線偏光板の透過軸に直交である正のＡプレートであり、
前記第２の補償層が、遅相軸が前記直線偏光板の透過軸に直交である負のＡプレートである。
【００３９】
（２１）  （１９）において、
前記第１の補償層が、遅相軸が前記直線偏光板の透過軸に直交である正のＡプレートであり、
前記第２の補償層が、正のＣプレートである。
【００４０】
（２０）又は（２１）によれば、具体的構成により、従来に比して視野角特性を向上して、斜め方向より表示画面を視認する場合でも、表示画面のコントラストを充分に確保することができる。
【００４１】
（２２）  （１９）において、
前記第１の補償層が、遅相軸が前記直線偏光板の透過軸に平行である負のＡプレートであり、
前記第２の補償層が、遅相軸が前記直線偏光板の透過軸に平行である正のＡプレートである。
【００４２】
（２３）  （１９）において、
前記第１の補償層が、遅相軸が前記直線偏光板の透過軸に平行である負のＡプレートであり、
前記第２の補償層が、負のＣプレートである。
【００４３】
（２２）又は（２３）によれば、具体的構成により、従来に比して視野角特性を向上して、斜め方向より表示画面を視認する場合でも、表示画面のコントラストを充分に確保することができる。
【００４４】
（２４）  （１９）において、
前記第１の補償層が、正のＣプレートであり、
前記第２の補償層が、遅相軸が前記直線偏光板の透過軸に平行である正のＡプレートである。
【００４５】
（２５）  （１９）において、
前記第１の補償層が、負のＣプレートであり、
前記第２の補償層が、遅相軸が前記直線偏光板の透過軸に直交する負のＡプレートである。
【００４６】
（２４）又は（２５）によれば、具体的構成により、従来に比して視野角特性を向上して、斜め方向より表示画面を視認する場合でも、表示画面のコントラストを充分に確保することができる。
【発明の効果】
【００４７】
本発明によれば、従来に比して視野角特性を向上して、斜め方向より表示画面を視認する場合でも、表示画面のコントラストを充分に確保することができる。
【図面の簡単な説明】
【００４８】
【図１】本発明の第１実施形態に係る画像表示装置を示す断面図である。
【図２】図１の画像表示装置において第１の補償層、第２の補償層を設けていない場合の偏光状態の変化を説明する図である。
【図３】観察方位を説明する図である。
【図４】観察方位を異ならせた例を説明する図である。
【図５】図４の観察方位による偏光状態の変化を説明する図である。
【図６】本発明の第２実施形態に係る画像表示装置を説明する図である。
【図７】本発明の第３実施形態に係る画像表示装置を説明する図である。
【図８】本発明の第４実施形態に係る画像表示装置を説明する図である。
【図９】本発明の第５実施形態に係る画像表示装置を説明する図である。
【図１０】本発明の第６実施形態に係る画像表示装置を説明する図である。
【図１１】本発明の第７実施形態に係る画像表示装置を説明する図である。
【図１２】比較例の画像表示装置の特性を示すコンター図である。
【図１３】第２実施形態の画像表示装置の特性を示すコンター図である。
【図１４】第３実施形態の画像表示装置の特性を示すコンター図である。
【図１５】第４実施形態の画像表示装置の特性を示すコンター図である。
【図１６】第５実施形態の画像表示装置の特性を示すコンター図である。
【図１７】第６実施形態の画像表示装置の特性を示すコンター図である。
【図１８】第７実施形態の画像表示装置の特性を示すコンター図である。
【発明を実施するための形態】
【００４９】
〔第１実施形態〕
〔画像表示装置〕
図１は、本発明の第１実施形態に係る画像表示装置を示す断面図である。
この画像表示装置１は、画像表示パネル２のパネル面（視聴者側面）に、感圧接着剤等により光学部材である反射防止フィルム３が貼り付けられて保持され、この反射防止フィルム３により外来光の反射を防止する反射防止部が形成される。
画像表示パネル２は、液晶表示パネルであり、液晶セル５の背面にバックライト４を配置して形成される。
これにより画像表示装置１は、バックライト４の出射光を空間変調して所望の画像を表示する。またこのようにして画像表示して、反射防止フィルム３により外光の反射を防止する。
【００５０】
ここでバックライト４は、いわゆるエッジライト型、直射型等、種々の構成によるバックライトを広く適用することができる。
【００５１】
〔液晶セル〕
液晶セル５は、いわゆる横電界モードによる液晶セルであるＩＰＳ（Ｉｎ−Ｐｌａｎｅ−Ｓｗｉｔｃｈｉｎｇ）方式による液晶セルであり、ＴＦＴ（Ｔｈｉｎ  Ｆｉｌｍ  Ｔｒａｎｓｉｓｔｏｒ）等による駆動回路、横電界の生成に供する透明電極等が作成された第１の基板７のバックライト４側に直線偏光板６が設けられ、第１の基板７のバックライト４とは逆側に、第１の基板７と対向するように第２の基板１２が設けられる。
第２の基板１２には、バックライト４側にカラーフィルタ１１が設けられ、液晶セル５は、これら基板７及び１２間に、バックライト４側より順次、液晶層８、１／４波長位相差層９、正のＣプレート１０が配置される。
【００５２】
これにより液晶セル５は、バックライト４の出射光を直線偏光板６により直線偏光に変換して液晶層８に入射し、位相差を付与する。またこの液晶層８の出射光を１／４波長位相差層９、正のＣプレート１０を介して順次出射する。画像表示装置１では、反射防止フィルム３に設けられた直線偏光板２４を介して液晶セル５の出射光を出射することにより、この液晶セル５の出射光を液晶層８で付与した位相差に対応する光強度により出射し、これによりバックライト４の出射光を空間変調して所望の画像を表示する。
なおこれにより画像表示装置１は、反射防止フィルム３の直線偏光板２４を利用してバックライト４の出射光を空間変調することにより、全体構成を簡略化している。
【００５３】
ここで直線偏光板６は、この画像表示装置１における第１の直線偏光板であり、反射防止フィルム３に設けられる直線偏光板２４と吸収軸方向が直交するように配置される。直線偏光板６は、例えば、ポリビニルアルコール（ＰＶＡ）フィルムにヨウ素錯体（又は染料）等の異方性材料を、染色及び吸着させた後、延伸配向させて作成することができる。
基板７、１２は、例えば、ガラス基板、プラスチック基板等を適用することができる。
【００５４】
１／４波長位相差層９は、この画像表示装置１における第１の１／４波長位相差層であり、透過光に１／４波長分の位相差を付与する構成であり、反射防止フィルム３に設けられた１／４波長位相差層２１によって透過光に付与される位相差をキャンセルするために設けられる。そのため、１／４波長位相差層９は、反射防止フィルム３に設けられた１／４波長位相差層２１と遅相軸方向が直交するように配置されている。
１／４波長位相差層９は、主屈折率がｎｘ＞ｎｙ≧ｎｚの関係を満たす１／４波長位相差層であり、直線偏光板６の吸収軸方向に対して面内遅相軸が４５°の角度を成すように配置される。１／４波長位相差層９は、主屈折率がｎｘ＞ｎｙ＝ｎｚの関係を満たす一軸性の１／４波長位相差層（正のＡプレート）、主屈折率がｎｘ＞ｎｙ＞ｎｚの関係を満たす二軸性の１／４波長位相差層を適用することができる。
なおここでｎｘは、面内の屈折率が最大になる方向（すなわち、遅相軸方向）の屈折率であり、ｎｙは面内で遅相軸と直交する方向（すなわち、進相軸方向）の屈折率であり、ｎｚは厚み方向の屈折率である。
【００５５】
正のＣプレート１０は、視野角特性を向上するために設けられる。正のＣプレート１０は、主屈折率がｎｘ＝ｎｙ＜ｎｚの関係を満たす一軸性の正のＣプレートであるものの、主屈折率がｎｙ＜ｎｘ＜ｎｚの関係を満たす二軸性の位相差板を適用してもよい。
正のＣプレート１０は、カラーフィルタ１１よりも反射防止フィルム３側に配置するようにしてもよく、例えば、基板１２の反射防止フィルム３側に設けるようにしてもよく、この場合、反射防止フィルム３と一体に構成するようにしてもよい。
また液晶セル５は、ＩＰＳ方式に限らず、ＦＦＳ（Ｆｒｉｎｇｅ  Ｆｉｅｌｄ  Ｓｗｉｔｃｈｉｎｇ）方式等、いわゆる横電界モードによる液晶セルの構成、これら以外の種々の構成を広く適用することができる。
【００５６】
１／４波長位相差層９、正のＣプレート１０は、延伸した高分子フィルム、配向、硬化させた液晶材料等を適用することができる。
【００５７】
〔反射防止フィルム〕
反射防止フィルム３は、直線偏光板２４、第１の補償層２３、第２の補償層２２、１／４波長位相差層２１を順次積層して形成され、１／４波長位相差層２１が画像表示パネル２側となるように配置される。
これにより反射防止フィルム３は、外来光を直線偏光板２４により直線偏光に変換した後、第１及び第２の補償層２３、２２を透過して１／４波長位相差層２１に入射し、円偏光により画像表示パネル２に出射する。またこれにより画像表示パネル２で反射して、偏光面の回転方向が逆転してなる画像表示パネル２からの入射光を１／４波長位相差層２１により直線偏光に変換した後、第２の補償層２２、第１の補償層２３を透過して直線偏光板２４により遮光する。
【００５８】
このため反射防止フィルム３において、１／４波長位相差層２１は、主屈折率がｎｘ＞ｎｙ≧ｎｚの関係を満たす１／４波長位相差層であり、直線偏光板２４の吸収軸方向に対して面内遅相軸が４５°の角度を成すように配置される。１／４波長位相差層２１は、主屈折率がｎｘ＞ｎｙ＝ｎｚの関係を満たす一軸性の１／４波長位相差層（正のＡプレート）、主屈折率がｎｘ＞ｎｙ＞ｎｚの関係を満たす二軸性の１／４波長位相差層を適用することができる。
１／４波長位相差層２１は、この画像表示装置１における第２の１／４波長位相差層であり、１／４波長位相差層９と同様に構成することができる。
【００５９】
また反射防止フィルム３において、直線偏光板２４は、この画像表示装置１における第２の直線偏光板であり、直線偏光板６と同様に構成することができる。
補償層２２、２３は、光学的異方性を備えた光透過層であり、バックライト４側から入射する入射光の偏光状態を変化させて出射する。
【００６０】
ここでこの種の画像表示装置１では、正のＣプレート１０を配置して視野角特性を向上し、広い視野角で充分なコントラストを確保する。
しかしながらこの正のＣプレート１０のみによっては、斜め方向より表示画面を視認する場合に、充分なコントラストを確保できない場合がある。
そこで反射防止フィルム３では、第１の補償層２３、第２の補償層２２により視野角特性を向上する。
【００６１】
図２は、この正のＣプレート１０のみを配置した場合（第１の補償層２３、第２の補償層２２を設けていない場合）の偏光状態を説明する図であり、図２（Ａ）は、ポアンカレ球により偏光の変化を示す図であり、図２（Ｂ）は、このポアンカレ球上の偏光状態の変化を北極方向より見て示す図である。
【００６２】
また図３は、この図２に係る偏光状態の検討に係る観察方位を示す略線図である。この図３では、直線偏光板６の透過軸方向、１／４波長位相差層９、２１の遅相軸方向を矢印により示し、符号Ａにより観察方位を示す。
【００６３】
ここでこの図３の配置では、観察方位Ａに対して１／４波長位相差層９、２１の面内遅相軸がそれぞれ４５度、１３５度の角度に設定されていることにより、観察方位Ａにより斜め方向から見た場合、１／４波長位相差層９は、観察方位Ａに対して面内遅相軸が４５度より小さな角を成し、１／４波長位相差層２１は、観察方位Ａに対して面内遅相軸が１３５度より大きな角を成すように見える。これによりこの４５度及び１３５度からの変位量をαとすると、この観測方位Ａによる斜め方向の透過光について、１／４波長位相差層９は、観察方位Ａに対して面内遅相軸が４５−α度を成し、１／４波長位相差層２１は、観察方位Ａに対して面内遅相軸が１３５度＋α度を成すことになる。
この前提の元、観察方位によりバックライト４から出射して直線偏光板６、基板７、液晶層８（無電界時）を透過した入射偏光は（本来、直線偏光板２４により遮光される直線偏光である）（図２及び図３）、１／４波長位相差層９を透過することにより、矢印Ｂにより示すように、１／４波長位相差層９の面内遅相軸による回転軸Ｌ１（４５度−α）回りにより回転した位置に偏光状態が変化する。さらに、矢印Ｃにより示すように、正のＣプレート１０によりｘ軸を回転軸として回転した位置に偏光状態が変化し、続く１／４波長位相差層２１により、矢印Ｄにより示すように、１／４波長位相差層２１の面内遅相軸による回転軸Ｌ２（１３５度＋α）回りにより回転して入射偏光の偏光状態に戻る。
ここでこの入射偏光の偏光状態は、反射防止フィルム３に設けられた直線偏光板２４の消光位（吸収軸の方位）と一致する直線偏光である。
これによりこの場合、正のＣプレートのみを配置して反射防止フィルムを構成した場合、バックライト４からの出射光を確実に遮光して、暗所コントラストを確保することができる。またこれにより斜め入射する外光についても、反射防止を図ることができ、これによっても暗所コントラストを確保することができる。
【００６４】
図４は、観察方位を異ならせた例を説明する図であり、図３に対応する図である。
図５は、図４の観察方位による偏光状態の変化を説明する図であり、図２に対応する図である。
これに対して図３との対比により図４に示すように、観察方位を４５度変化させて検討する。観察方位を４５度変化させた場合、図４に示すように、直線偏光板６の透過軸は、観察方位Ａに対して４５度、１／４波長位相差層９の遅相軸は、観察方位Ａに対して９０度、１／４波長位相差層２１の遅相軸は、観察方位Ａに対して０度となる。
この図５の例では、観察方位Ａに対して１／４波長位相差層９、２１の面内遅相軸が９０度及び０度の角度に設定されていることにより、この観測方位Ａの斜め方向の透過光にあっては、１／４波長位相差層９の遅相軸は、観察方位Ａに対して９０度を成し、１／４波長位相差層２１の遅相軸は、観察方位Ａに対して０度を成すことになる。
また図２との対比により図５に示すように、この観察方位に斜め方向に出射する出射光においては、赤道上の角度４５度−αの位置が入射偏光となる。
この入射偏光は、矢印Ｂにより示すように、１／４波長位相差層９の面内遅相軸による回転軸（ｘ軸）を回転軸にして偏光状態が変化し、また矢印Ｃにより示すように、正のＣプレート１０によりｘ軸を回転軸にして変化した後、続く１／４波長位相差層２１により、矢印Ｄにより示すように、１／４波長位相差層２１の面内遅相軸による回転軸（ｘ軸）を回転軸にして偏光状態が変化し、楕円偏光により出射される。
これによりこの正のＣプレートのみを配置した場合（第１の補償層２３、第２の補償層２２を設けていない場合）、直線偏光板２４によっては充分に出射光を遮光できなくなり、暗所コントラストが低下することになる。
【００６５】
この場合、矢印Ｘにより示すように、入射偏光の位置に対してｙ軸（＋Ｓ２〜−Ｓ２軸）対称となる赤道上が出射偏光となるように、偏光状態を変化させれば、バックライト４からの出射光を確実に遮光して、暗所コントラストを確保することができる。またこれにより斜め入射する外光についても、充分に反射防止を図ることができ、これによっても暗所コントラストを確保することができる。
しかしながら単に補償層を設けて偏光状態を変化させる場合には、適切に、偏光状態を変化させることが困難になるものの、この実施形態のように、第１及び第２の補償層２３及び２２を設ける場合にあっては、高い自由度により偏光状態を変化させることができる。
これにより適切に理想とする偏光状態を確保することができ、従来に比して視野角特性を向上して、斜め方向より表示画面を視認する場合でも、表示画面のコントラストを充分に確保することができる。
【００６６】
ここで第１の補償層２３は、この種の光学フィルムに適用される光学的異方性を備えた透明部材を適用することができる。
また第２の補償層２２は、同様に、この種の光学フィルムに適用される光学的異方性を備えた透明部材であって、第１の補償層２３と光学的性質の異なる光学部材を適用することができる。
より具体的に、第１の補償層２３は、正及び負のＡプレート、正及び負のＣプレートを適用することができる。また第２の補償層２２は、第１の補償層２３とは光学的性質が異なる部材であることを前提に、正及び負のＡプレート、正及び負のＣプレートを適用することができる。
【００６７】
以上の構成によれば、第１及び第２の補償層２３及び２２を設けることにより、高い自由度により偏光状態を変化させて適切に理想とする偏光状態を確保することができ、これにより従来に比して視野角特性を向上して、斜め方向より表示画面を視認する場合でも、表示画面のコントラストを充分に確保することができる。
なお、本実施形態及び以下の各実施形態において、液晶層８の反射防止フィルム３側の第２の基板１２に、１／４波長位相差層９、正のＣプレート１０、カラーフィルタ１１、１／４波長位相差層２１、補償層２２、２３を配置した部材を、画像表示部材３１という（図１参照）。
【００６８】
〔第２実施形態〕
この実施形態では、第１及び第２の補償層２３及び２２にそれぞれ正のＡプレート及び負のＡプレートを適用する。
この実施形態の画像表示装置は、この第１及び第２の補償層２３及び２２の構成が異なる点を除いて、第１実施形態の画像表示装置と同一に構成される。
【００６９】
図６は、図５との対比によりこの実施形態に係る画像表示装置の偏光状態の変化を示す図であり、図５において示す１／４波長位相差層２１から出射される出射光の偏光状態（符号Ｐ１）からの、第１及び第２の補償層２３及び２２による偏光状態の変化を示す図である。
ここで第１及び第２の補償層２３及び２２は、遅相軸が、直線偏光板６の透過軸方向に対して０度の角度を成すよう、すなわち直線偏光板６の透過軸方向に平行に配置した。
第１の補償層２３は、シクロオレフィンポリマー樹脂により厚み４２．００μｍ（Ｒｅ＝１０２．９０ｎｍ、Ｒｔｈ＝５１．４５ｎｍ、ＮＺ＝１．０）により形成した。なお、Ｒｅは面内位相差を示し、Ｒｔｈは厚み方向の位相差を示す。また、ＮＺは、ＮＺ＝（ｎｚ−ｎｘ）／（ｎｙ−ｎｘ）により定義される。
また第２の補償層２２は、重合性液晶を使用して厚み１．１１μｍ（Ｒｅ＝１３９．４５ｎｍ、Ｒｔｈ＝−６９．７２ｎｍ）により形成した。
また直線偏光板６、２４には、ポリビニルアルコールの延伸フィルム（膜厚２０．００μｍ）を使用する構成を適用し、１／４波長位相差層９、２１は、シクロオレフィンポリマー樹脂により厚み５６．１２μｍ（Ｒｅ＝１３７．５０ｎｍ、ＮＺ＝１．０）により形成した。また正のＣプレート１０は、重合性液晶材料を使用して厚み０．６３μｍ（Ｒｔｈ＝−１０８．２４ｎｍ）により形成した。
【００７０】
この実施形態では、矢印により示すように、１／４波長位相差層２１からの出射光の偏光状態（Ｐ１）を、第２の補償層２２に係る回転軸（−Ａ  ＮＺ＝０．０、矢印Ｌ４）により回転させた位置に変化させた後、第１の補償層２３に係る回転軸（＋Ａ  ＮＺ＝１．０、矢印Ｌ３）により回転させた位置に変化させ、赤道上の入射偏光に対応する直線偏光による出射偏光により出射することができる。
これによりこの実施形態では、ほぼ理想的な出射偏光により出射光を出射することができ、その結果、従来に比して視野角特性を向上して、斜め方向より表示画面を視認する場合でも、表示画面のコントラストを充分に確保することができる。
【００７１】
ここで、本実施形態の画像表示装置と比較例１、比較例２の画像表示装置とでシミュレーションによってコントラスト値の変化を確認した。なお、シミュレーションには、ＳＩＮＴＥＣＨ社のＬＣＤ  ＭＡＳＴＥＲを使用した。
比較例１の画像表示装置は、本実施形態の構成から第１及び第２の補償層２３及び２２を省略した構成である。
また比較例２の画像表示装置は、本実施形態の構成において第１及び第２の補償層２３及び２２に代えて負のＡプレートを配置した構成である。なお、この負のＡプレートは、直線偏光板６の透過軸に対して遅相軸が９０度の角度を成すように配置し、Ｒｅは１５３．２７ｎｍ、Ｒｔｈは、−７６．６３ｎｍである。
【００７２】
出射角６０度の斜め光によりコントラストを確認したところ、比較例１では、観察方位０／１８０度（直線偏光板６の透過軸方向であり、図３に示す符号Ｂ１の矢印、以下、観察方位Ｂ１という）では、コントラスト値５２３であったものが、観察方位４５／１３５度（直線偏光板６の透過軸方向に対して４５度傾斜した方向であり、図３に示す符号Ｂ２の矢印、以下、観察方位Ｂ２という）では、コントラスト値１７であった。
また同様にして計測したところ、比較例２では、観察方位Ｂ１、観察方位Ｂ２それぞれのコントラスト値が５２４、１４２であった。
これに対して本実施形態では、観察方位Ｂ１、観察方位Ｂ２それぞれのコントラスト値が５２４、３６７であった。これにより各比較例の画像表示装置に比して視野角特性を向上して、斜め方向より表示画面を視認する場合でも、表示画面のコントラストを充分に確保することができることが確認できる。
【００７３】
図１２は、比較例の画像表示装置の特性を示すコンター図である。
図１２（Ａ）及び図１２（Ｂ）は、それぞれ比較例１、比較例２の画像表示装置のシミュレーションによるコントラスト値のコンター図であり、図１２（Ｃ）は、これらのコンター図におけるコントラスト値の等高線の値を示す図である。なお、これらのコンター図において、０．０−１８０．０度が、直線偏光板６の透過軸方向である。
図１３は、本実施形態の画像表示装置の特性を示すコンター図であり、図１２（Ａ）に対応する図であり、図１２（Ｃ）と同様の等高線により示される。
比較例１、比較例２では、観察方位の変化によりコントラスト値が大きく変化するものの、本実施形態の構成では、観察方位の変化によるコントラスト値の変化が小さく、これにより視野角特性の向上を充分に確保することができることが確認できる。
【００７４】
この実施形態では、第１及び第２の補償層２３及び２２を設けるようにして、この第１及び第２の補償層２３及び２２にそれぞれ正のＡプレート及び負のＡプレートを適用することにより、具体的構成により、従来に比して視野角特性を向上して、斜め方向より表示画面を視認する場合でも、表示画面のコントラストを充分に確保することができる。
【００７５】
〔第３実施形態〕
この実施形態では、第１及び第２の補償層２３及び２２にそれぞれ正のＡプレート及び正のＣプレートを適用する。
この実施形態の画像表示装置は、この第１及び第２の補償層２３及び２２の構成が異なる点を除いて、第２実施形態の画像表示装置と同一に構成される。
【００７６】
図７は、図６との対比によりこの実施形態に係る画像表示装置の偏光状態の変化を示す図である。
ここで第１の補償層２３は、遅相軸が、直線偏光板６の透過軸方向に対して０度の角度を成すよう、すなわち直線偏光板６の透過軸方向に平行に配置した。
第１の補償層２３は、シクロオレフィンポリマー樹脂により厚み５７．００μｍ（Ｒｅ＝１３９．６５ｎｍ、Ｒｔｈ＝６９．８３ｎｍ、ＮＺ＝１．０）により形成した。
また第２の補償層２２は、重合性液晶材料により厚み１．００μｍ（Ｒｅ＝０．００ｎｍ、Ｒｔｈ＝−１７１．００ｎｍ）によるフィルム材により形成した。
【００７７】
この実施形態では、矢印により示すように、１／４波長位相差層２１からの出射光の偏光状態（Ｐ１）を、第２の補償層２２に係る回転軸（ｘ軸、矢印Ｌ５）により回転させた位置に変化させた後、第１の補償層２３に係る回転軸（＋Ａ  ＮＺ＝１．０、矢印Ｌ６）により回転させた位置に変化させ、赤道上の入射偏光に対応する直線偏光による出射偏光により出射することができる。
これによりこの実施形態では、ほぼ理想的な出射偏光により出射光を出射することができ、その結果、従来に比して視野角特性を向上して、斜め方向より表示画面を視認する場合でも、表示画面のコントラストを充分に確保することができる。
より具体的に、第２実施形態と同様にしてコントラスト値をシミュレーションしたところ、観察方位Ｂ１、観察方位Ｂ２それぞれのコントラスト値が５２４、５１８であった。なお、このコントラスト値は、パネル法線から６０度の向きから観察したときの値である。これにより、本実施形態の画像表示装置は、各比較例の画像表示装置に比して視野角特性を向上して、斜め方向より表示画面を視認する場合でも、表示画面のコントラストを充分に確保することができることが確認できる。
図１４は、本実施形態の画像表示装置の特性を示すシミュレーションによるコンター図であり、図１２（Ａ）に対応する図であり、図１２（Ｃ）と同様の等高線により示される。
この実施形態の構成でも、上述の比較例の画像表示装置に比して、観察方位の変化によるコントラスト値の変化が小さく、これにより、視野角特性の向上を充分に確保することができることが確認できる。
【００７８】
この実施形態では、第１及び第２の補償層２３及び２２を設けるようにして、この第１及び第２の補償層２３及び２２にそれぞれ正のＡプレート及び正のＣプレートを適用することにより、具体的構成により、従来に比して視野角特性を向上して、斜め方向より表示画面を視認する場合でも、表示画面のコントラストを充分に確保することができる。
【００７９】
〔第４実施形態〕
この実施形態では、第１及び第２の補償層２３及び２２にそれぞれ負のＡプレート及び正のＡプレートを適用する。
この実施形態の画像表示装置は、この第１及び第２の補償層２３及び２２の構成が異なる点を除いて、第２実施形態の画像表示装置と同一に構成される。
【００８０】
図８は、図６との対比によりこの実施形態に係る画像表示装置の偏光状態の変化を示す図である。
ここで第１及び第２の補償層２３及び２２は、遅相軸が、直線偏光板６の透過軸方向に対して９０度の角度を成すよう、すなわち直線偏光板６の透過軸方に直交する方向に配置した。
第１の補償層２３は、重合性液晶を使用して厚み０．９６μｍ（Ｒｅ＝１２０．６０ｎｍ、Ｒｔｈ＝−６０．３０ｎｍ）により形成した。
また第２の補償層２２は、シクロオレフィンポリマー樹脂により厚み１４．００μｍ（Ｒｅ＝３４．３０ｎｍ、Ｒｔｈ＝１７．１５ｎｍ、ＮＺ＝１．０）により形成した。
【００８１】
この実施形態では、矢印により示すように、１／４波長位相差層２１から出射される出射光の偏光状態（Ｐ１）を、第２の補償層２２に係る回転軸（−Ａ  ＮＺ＝０．０、矢印Ｌ８）により回転させた位置に変化させた後、第１の補償層２３に係る回転軸（＋Ａ  ＮＺ＝１．０、矢印Ｌ７）により回転させた位置に変化させ、赤道上の入射偏光に対応する直線偏光による出射偏光により出射することができる。
これによりこの実施形態では、ほぼ理想的な出射偏光により出射光を出射することができ、その結果、従来に比して視野角特性を向上して、斜め方向より表示画面を視認する場合でも、表示画面のコントラストを充分に確保することができる。
より具体的に、第２実施形態と同様にしてコントラスト値をシミュレーションしたところ、観察方位Ｂ１、観察方位Ｂ２それぞれのコントラスト値が５２４、５７２であった。なお、このコントラスト値は、パネル法線から６０度の向きから観察したときの値である。
これにより、本実施形態の画像表示装置は、各比較例の画像表示装置に比して視野角特性を向上して、斜め方向より表示画面を視認する場合でも、表示画面のコントラストを充分に確保することができることが確認できる。
【００８２】
図１５は、本実施形態の画像表示装置の特性を示すシミュレーションによるコンター図であり、図１２（Ａ）に対応する図であり、図１２（Ｃ）と同様の等高線により示される。
この実施形態の構成でも、上述の比較例の画像表示装置に比して、観察方位の変化によるコントラスト値の変化が小さく、これにより、視野角特性の向上を充分に確保することができることが確認できる。
【００８３】
この実施形態では、第１及び第２の補償層２３及び２２を設けるようにして、この第１及び第２の補償層２３及び２２にそれぞれ負のＡプレート及び正のＡプレートを適用することにより、具体的構成により、従来に比して視野角特性を向上して、斜め方向より表示画面を視認する場合でも、表示画面のコントラストを充分に確保することができる。
【００８４】
〔第５実施形態〕
この実施形態では、第１及び第２の補償層２３及び２２にそれぞれ負のＡプレート及び負のＣプレートを適用する。
この実施形態の画像表示装置は、この第１及び第２の補償層２３及び２２の構成が異なる点を除いて、第２実施形態の画像表示装置と同一に構成される。
【００８５】
図９は、図６との対比によりこの実施形態に係る画像表示装置の偏光状態の変化を示す図である。
ここで第１の補償層２３は、遅相軸が、直線偏光板６の透過軸方向に対して９０度の角度を成すよう、すなわち直線偏光板６の透過軸方向に直交する方向に配置した。
第１の補償層２３は、重合性液晶を使用して厚み１．１７μｍ（Ｒｅ＝１４６．９９ｎｍ、Ｒｔｈ＝−７３．４９ｎｍ）により形成した。
また第２の補償層２２は、トリアセチルセルロース樹脂による厚み４２．００μｍ（Ｒｅ＝０．００ｎｍ、Ｒｔｈ＝３０．２４ｎｍ）のフィルム材により形成した。
【００８６】
この実施形態では、矢印により示すように、１／４波長位相差層２１からの出射光の偏光状態（Ｐ１）を、第２の補償層２２に係る回転軸（ｘ軸、矢印Ｌ９）により回転させた位置に変化させた後、第１の補償層２３に係る回転軸（−Ａ  ＮＺ＝０．０、矢印Ｌ１０）により回転させた位置に変化させ、赤道上の入射偏光に対応する直線偏光による出射偏光により出射することができる。
これによりこの実施形態では、ほぼ理想的な出射偏光により出射光を出射することができ、その結果、従来に比して視野角特性を向上して、斜め方向より表示画面を視認する場合でも、表示画面のコントラストを充分に確保することができる。
【００８７】
より具体的に、第２実施形態と同様にしてコントラスト値をシミュレーションしたところ、観察方位Ｂ１、観察方位Ｂ２それぞれのコントラスト値が５２３、５７７であった。なお、このコントラスト値は、パネル法線から６０度の向きから観察したときの値である。
これにより、本実施形態の画像表示装置は、各比較例の画像表示装置に比して視野角特性を向上して、斜め方向より表示画面を視認する場合でも、表示画面のコントラストを充分に確保することができることが確認できる。
図１６は、本実施形態の画像表示装置の特性を示すシミュレーションによるコンター図であり、図１２（Ａ）に対応する図であり、図１２（Ｃ）と同様の等高線により示される。
この実施形態の構成でも、上述の比較例の画像表示装置に比して、観察方位の変化によるコントラスト値の変化が小さく、これにより、視野角特性の向上を充分に確保することができることが確認できる。
【００８８】
この実施形態では、第１及び第２の補償層２３及び２２を設けるようにして、この第１及び第２の補償層２３及び２２にそれぞれ負のＡプレート及び負のＣプレートを適用することにより、具体的構成により、従来に比して視野角特性を向上して、斜め方向より表示画面を視認する場合でも、表示画面のコントラストを充分に確保することができる。
【００８９】
〔第６実施形態〕
この実施形態では、第１及び第２の補償層２３及び２２にそれぞれ正のＣプレート及び正のＡプレートを適用する。
この実施形態の画像表示装置は、この第１及び第２の補償層２３及び２２の構成が異なる点を除いて、第２実施形態の画像表示装置と同一に構成される。
【００９０】
図１０は、図６との対比によりこの実施形態に係る画像表示装置の偏光状態の変化を示す図である。
ここで第２の補償層２２は、遅相軸が、直線偏光板６の透過軸方向に対して９０度の角度を成すよう、すなわち直線偏光板６の透過軸方向に直交する方向に配置した。
第１の補償層２３は、重合性液晶材料を使用して厚み０．７４μｍ（Ｒｅ＝０．０ｎｍ、Ｒｔｈ＝−１２６．５４ｎｍ）により形成した。
第２の補償層２２は、シクロオレフィンポリマー樹脂により厚み３９．００μｍ（Ｒｅ＝９５．５５ｎｍ、Ｒｔｈ＝４７．７８ｎｍ、ＮＺ＝１．０）により形成した。
【００９１】
この実施形態では、矢印により示すように、１／４波長位相差層２１から出射される出射光の偏光状態（Ｐ１）を、第２の補償層２２に係る回転軸（＋Ａ  ＮＺ＝１．０、矢印Ｌ１１）により回転させた位置に変化させた後、第１の補償層２３に係る回転軸（ｘ軸、矢印Ｌ１２）により回転させた位置に変化させ、赤道上の入射偏光に対応する直線偏光による出射偏光により出射することができる。
これによりこの実施形態では、ほぼ理想的な出射偏光により出射光を出射することができ、その結果、従来に比して視野角特性を向上して、斜め方向より表示画面を視認する場合でも、表示画面のコントラストを充分に確保することができる。
より具体的に、第２実施形態と同様にしてコントラスト値をシミュレーションしたところ、観察方位Ｂ１、観察方位Ｂ２それぞれのコントラスト値が５２４、６３２であった。なお、このコントラスト値は、パネル法線から６０度の向きから観察したときの値である。
これにより、本実施形態の画像表示装置は、各比較例の画像表示装置に比して視野角特性を向上して、斜め方向より表示画面を視認する場合でも、表示画面のコントラストを充分に確保することができることが確認できる。
図１７は、本実施形態の画像表示装置の特性を示すシミュレーションによるコンター図であり、図１２（Ａ）に対応する図であり、図１２（Ｃ）と同様の等高線により示される。
この実施形態の構成でも、上述の比較例の画像表示装置に比して、観察方位の変化によるコントラスト値の変化が小さく、これにより、視野角特性の向上を充分に確保することができることが確認できる。
【００９２】
この実施形態では、第１及び第２の補償層２３及び２２を設けるようにして、この第１及び第２の補償層２３及び２２にそれぞれ正のＣプレート及び正のＡプレートを適用することにより、具体的構成により、従来に比して視野角特性を向上して、斜め方向より表示画面を視認する場合でも、表示画面のコントラストを充分に確保することができる。
【００９３】
〔第７実施形態〕
この実施形態では、第１及び第２の補償層２３及び２２にそれぞれ負のＣプレート及び負のＡプレートを適用する。
この実施形態の画像表示装置は、この第１及び第２の補償層２３及び２２の構成が異なる点を除いて、第２実施形態の画像表示装置と同一に構成される。
【００９４】
図１１は、図６との対比によりこの実施形態に係る画像表示装置の偏光状態の変化を示す図である。
ここで第２の補償層２２は、遅相軸が、直線偏光板６の透過軸方向に対して０度の角度を成すよう、すなわち直線偏光板６の透過軸方向に平行に配置した。
第１の補償層２３は、トリアセチルセルロース樹脂による厚み１２４．００μｍ（Ｒｅ＝０．００ｎｍ、Ｒｔｈ＝８９．２８ｎｍ）によるフィルム材により形成した。
第２の補償層２２は、重合性液晶を使用して厚み１．５５μｍ（Ｒｅ＝１９４．４８ｎｍ、Ｒｔｈ＝−９７．２４ｎｍ）により形成した。
【００９５】
この実施形態では、矢印により示すように、１／４波長位相差層２１からの出射光の偏光状態（Ｐ１）を、第２の補償層２２に係る回転軸（−Ａ  ＮＺ＝０．０、矢印Ｌ１３）により回転させた位置に変化させた後、第１の補償層２３に係る回転軸（ｘ軸、矢印Ｌ１４）により回転させた位置に変化させ、赤道上の入射偏光に対応する直線偏光による出射偏光により出射することができる。
これによりこの実施形態では、ほぼ理想的な出射偏光により出射光を出射することができ、その結果、従来に比して視野角特性を向上して、斜め方向より表示画面を視認する場合でも、表示画面のコントラストを充分に確保することができる。
より具体的に、第２実施形態と同様にしてコントラスト値をシミュレーションしたとこと、観察方位Ｂ１、観察方位Ｂ２それぞれのコントラスト値が５２４、３７５であった。なお、このコントラスト値は、パネル法線から６０度の向きから観察したときの値である。
これにより、本実施形態の画像表示装置は、各比較例の画像表示装置に比して視野角特性を向上して、斜め方向より表示画面を視認する場合でも、表示画面のコントラストを充分に確保することができることが確認できる。
図１８は、本実施形態の画像表示装置の特性を示すシミュレーションによるコンター図であり、図１２（Ａ）に対応する図であり、図１２（Ｃ）と同様の等高線により示される。
この実施形態の構成でも、上述の比較例の画像表示装置に比して、観察方位の変化によるコントラスト値の変化が小さく、これにより、視野角特性の向上を充分に確保することができることが確認できる。
【００９６】
この実施形態では、第１及び第２の補償層２３及び２２を設けるようにして、この第１及び第２の補償層２３及び２２にそれぞれ負のＣプレート及び負のＡプレートを適用することにより、具体的構成により、従来に比して視野角特性を向上して、斜め方向より表示画面を視認する場合でも、表示画面のコントラストを充分に確保することができる。
【００９７】
〔第８実施形態〕
この実施形態では、反射防止フィルム３による反射防止部の全部構成又は一部構成を画像表示パネルの出射面側の基板１２に順次作成する。具体的に直線偏光板２４、第１及び第２の補償層２３及び２２、１／４波長位相差層２１の全部又は一部を、画像表示パネルの出射面側の基板１２に順次作り込むようにする。
これにより、反射防止フィルムに係る構成を簡略化し、さらには全体構成を簡略化することができる。
【００９８】
なお、この場合、第１及び第２の補償層２３及び２２、１／４波長位相差層２１は、対応する紫外線硬化型液晶、熱硬化型液晶等を塗布し、硬化することにより、基板１２上に順次作成することができる。液晶塗布の下地層として配向膜等を適宜追加してもよい。
また直線偏光板２４については、いわゆる塗布型の構成を適用して、補償層２３上に作成することができる。
この実施形態では、この反射防止フィルムに係る構成が異なる点を除いて、上述の各実施形態と同一に構成される。
この実施形態のように、反射防止フィルム３による反射防止部の全部構成又は一部構成を、画像表示パネルの出射面側基板１２に順次作成するようにしても、上述の各実施形態と同様の効果を得ることができる。
【００９９】
〔第９実施形態〕
この実施形態では、上述の各実施形態の構成において、最も出射面側に、タッチパネル用センサフィルムを設け、これによりタッチパネルの機能を画像表示パネルに設ける。また、タッチパネル用センサフィルムは、画像表示装置の１／４波長位相差層２１と第２の基板１２との間に配置してもよい。これにより、画像表示装置は、反射防止フィルム３によりタッチパネル用センサフィルムによる外光反射を低減することができる。
この実施形態では、このタッチパネル用センサフィルムに関する構成が異なる点を除いて、上述の各実施形態と同一に構成される。
この実施形態のように、タッチパネル用センサフィルムを設けるようにしても、上述の各実施形態と同様の効果を得ることができる。
なお、液晶層８の駆動による電磁波の輻射を低減する透明電極を、画像表示装置に設けるようにしてもよい。この透明電極は、例えば、１／４波長位相差層２１と第２の基板１２との間に配置することにより、透明電極による外光反射を低減するとともに、効率良く不要輻射を低減することができる。
また、さらに反射防止フィルム３の最表面に、反射防止層をさらに設けるようにしてもよい。
【０１００】
〔他の実施形態〕
以上、本発明の実施に好適な具体的な構成を詳述したが、本発明は、本発明の趣旨を逸脱しない範囲で、上述の実施形態の構成を種々に変更することができる。
上述の実施形態において、液晶層８上に、１／４波長位相差層９、正のＣプレート１０、カラーフィルタ１１が順次設けられる例を示したが、これに限定されるものでなく、液晶層８上に、１／４波長位相差層９、カラーフィルタ１１、正のＣプレート１０が順次設けられるようにしてもよい。
また、上述の各実施形態においては、基板１２の１／４波長位相差層９側に正のＣプレート１０が設けられる例を示したが、基板１２の１／４波長位相差層２１側に正のＣプレート１０が設けられるようにしてもよい。
【符号の説明】
【０１０１】
１  画像表示装置
２  画像表示パネル
３  反射防止フィルム
４  バックライト
５  液晶セル
６、２４  直線偏光板
７、１２  基板
８  液晶層
９、２１  １／４波長位相差層
１０  正のＣプレート
１１  カラーフィルタ
２２、２３  補償層
３１  画像表示部材
【図１】
2020076946.tif 000003
【図２】
2020076946.tif 000004
【図３】
2020076946.tif 000005
【図４】
2020076946.tif 000006
【図５】
2020076946.tif 000007
【図６】
2020076946.tif 000008
【図７】
2020076946.tif 000009
【図８】
2020076946.tif 000010
【図９】
2020076946.tif 000011
【図１０】
2020076946.tif 000012
【図１１】
2020076946.tif 000013
【図１２】
2020076946.tif 000014
【図１３】
2020076946.tif 000015
【図１４】
2020076946.tif 000016
【図１５】
2020076946.tif 000017
【図１６】
2020076946.tif 000018
【図１７】
2020076946.tif 000019
【図１８】
2020076946.tif 000020